(57)【要約】不整脈を制御するために、種々の伝達改変剤としては、バイオポリマー、線維芽細胞、細胞毒、および増殖因子が挙げられ、これらは神経節の近位の脂肪パッドに心外膜的にかまたは心内膜的にかのいずれかで導入される。注射のための任意の所望の技術が使用され得る。この注射としては、経皮的に挿入されたカテーテルからの注射、または開心術の間の心外膜を通した直接の注射が挙げられる。好ましくは、患者の心臓は、注射の間鼓動を打っている。
2007511291.tif 000002
【特許請求の範囲】
【請求項１】
患者の心臓における不整脈を制御するためのシステムであって、以下：
心臓送達システム；および
該心臓送達システムに連結された伝達改変剤の供給源であって、該伝達改変剤が、神経節における神経伝達を改変するのに有効である、供給源、
を備え、ここで、該心臓送達システムが、該伝達改変剤を、供給源から、中の神経節に対して近位の少なくとも１つの心臓脂肪パッドに送達するための遠位部分を備える、システム。
【請求項２】
請求項１に記載のシステムであって、前記心臓送達システムの遠位部分が、前記伝達改変剤を前記脂肪パッドの表面を通して神経節の近位に注射するための先端を有する少なくとも１つの針を備える、システム。
【請求項３】
請求項２に記載のシステムであって、前記遠位部分が、直線状である、システム。
【請求項４】
請求項２に記載のシステムであって、前記遠位部分が、螺旋状である、システム。
【請求項５】
請求項１に記載のシステムであって、前記心臓送達システムが、心臓内送達システムを備える、システム。
【請求項６】
請求項１に記載のシステムであって、前記心臓送達システムが、心内膜システムを備える、システム。
【請求項７】
請求項１に記載のシステムであって、前記心臓送達システムが、心臓に付随する脈管の壁を通して前記脂肪パッド内に前記伝達改変剤を送達するための経脈管システムを備える、システム。
【請求項８】
請求項１に記載のシステムであって、前記伝達改変剤が、線維芽細胞を含む、システム。
【請求項９】
請求項１に記載のシステムであって、前記伝達改変剤が、バイオポリマーを含む、システム。
【請求項１０】
請求項９に記載のシステムであって、前記バイオポリマーが、フィブリン接着剤である、システム。
【請求項１１】
請求項９に記載のシステムであって、前記バイオポリマーが、アルギネートである、システム。
【請求項１２】
請求項１に記載のシステムであって、前記伝達改変剤が、神経毒を含む、システム。
【請求項１３】
請求項１２に記載のシステムであって、前記神経毒が、ボツリヌス菌Ａ型である、システム。
【請求項１４】
請求項１に記載のシステムであって、前記伝達改変剤が、増殖因子を含む、システム。
【請求項１５】
請求項１４に記載のシステムであって、前記増殖因子が、線維芽細胞増殖因子である、システム。
【請求項１６】
請求項１に記載のシステムであって、前記心臓送達システムが、以下：
少なくとも１つの針であって、該針が、前記脂肪パッドの表面を通って神経節の近位に伝達改変剤を注射するための遠位端、および近位端を有する、針；ならびに
該針を前記供給源に連結するための、該針の近位端に配置された、カプラー、
を備える、システム。
【請求項１７】
請求項１に記載のシステムであって、前記心臓送達システムが、カテーテルを備え、該カテーテルが、以下：
近位端および遠位端を有する、細長本体；
該細長本体の遠位端と該細長本体の近位端との間で、該細長本体を通って延びる、少なくとも１つの管腔；
少なくとも１つの針であって、該針が、該細長本体の遠位端に配置され、そして前記脂肪パッドの表面を通って神経節の近位に伝達改変剤を注入するための先端を有し、該針が、該管腔と流体連絡している、針；ならびに
該管腔を前記供給源に連結するための、該細長本体の近位端に配置された、カプラー、
を備える、システム。
【請求項１８】
請求項１７に記載のシステムであって、さらに以下：
前記細長本体の遠位端に配置された、マッピング電極；および
該細長本体の遠位端と該細長本体の近位端との間に、該細長本体を通って延びる、導体、
を備える、システム。
【請求項１９】
請求項１に記載のシステムであって、アンカーをさらに備え、該アンカーが、前記心臓送達システムの遠位端を前記脂肪パッド上の位置に固定するために、該心臓送達システムの遠位部分に配置され、その結果、アンカーが固定されている間、伝達改変剤が、該位置の近位の組織の領域に送達され得る、システム。
【請求項２０】
患者の心臓における不整脈を制御するためのシステムであって、以下：
心臓送達システム；および
該心臓送達システムに連結された伝達改変剤の供給源であって、該伝達改変剤が、神経節における神経伝達を改変するのに有効であり、かつ複数の成分を含む、供給源、
を備え、
ここで、該供給源が、複数の別々のセクションを備え、該成分が、それぞれ、別々に該供給源のセクション内に含まれ、そして
ここで、該心臓送達システムが、以下：
遠位部分であって、該遠位部分の先端に伝達改変剤の成分を送達するための複数のチャネルを備える、遠位部分；および
複数の別々の送達チャネルであって、該心臓送達システムの遠位チャネルが、それぞれ該送達チャネルを通って、該供給源セクションとそれぞれ流体連絡している、チャネル、
を備える、システム。
【請求項２１】
請求項２０に記載のシステムであって、前記成分が、バイオポリマー前駆体を含む、システム。
【請求項２２】
請求項２１に記載のシステムであって、前記成分が、線維芽細胞、神経毒、増殖因子、またはそれらの組み合わせをさらに含む、システム。
【請求項２３】
注射針であって、以下：
遠位部分であって、その先端に延びる複数のチャネルを備える、遠位部分；および
複数の別々の送達チャネルであって、心臓送達システムの遠位チャネルが、該送達チャネルと流体連絡している、送達チャネル、
を備える、注射針。
【請求項２４】
請求項２３に記載の注射針であって、前記遠位部分が、直線状である、注射針。
【請求項２５】
請求項２３に記載の注射針であって、前記遠位部分が、螺旋状である、注射針。
【請求項２６】
請求項２３に記載の注射針であって、さらに以下：
近位部分であって、前記送達チャネルが、該近位部分へと延びている、近位部分；および
前記送達チャネルをカテーテルに連結するための、カプラー、
を備える、注射針。
【請求項２７】
請求項２３に記載の注射針であって、さらに以下：
近位部分であって、前記送達チャネルが、該近位部分へと延びている、近位部分；および
該送達チャネルをそれぞれのシリンジに連結するためのカプラー、
を備える、注射針。
【請求項２８】
患者の心臓における不整脈を制御するための方法であって、以下：
不整脈を検出する工程；
神経節における神経伝達を改変するのに有効な伝達改変剤の供給源を調製する工程；および
治療有効量の該伝達改変剤を、該供給源から、中の神経節に対して近位の少なくとも１つの心臓脂肪パッドに送達する工程、
を包含する、方法。
【請求項２９】
請求項２８に記載の方法であって、前記送達する工程が、心臓内システムを用いて実行される、方法。
【請求項３０】
請求項２８に記載の方法であって、前記送達する工程が、心内膜システムを用いて実行される、方法。
【請求項３１】
請求項２８に記載の方法であって、前記送達する工程が、経脈管システムを用いて実行される、方法。
【請求項３２】
請求項２８に記載の方法であって、前記伝達改変剤が、線維芽細胞を含む、方法。
【請求項３３】
請求項３２に記載の方法であって、前記線維芽細胞が、自家由来である、方法。
【請求項３４】
請求項２８に記載の方法であって、前記伝達改変剤が、神経毒を含む、方法。
【請求項３５】
請求項３４に記載の方法であって、前記神経毒が、ボツリヌス菌Ａ型である、方法。
【請求項３６】
請求項２８に記載の方法であって、前記伝達改変剤が、増殖因子を含む、方法。
【請求項３７】
請求項３６に記載の方法であって、前記増殖因子が、線維芽細胞増殖因子である、方法。
【請求項３８】
請求項２８に記載の方法であって、前記伝達改変剤が、バイオポリマーを含む、方法。
【請求項３９】
請求項３８に記載の方法であって、前記バイオポリマーが、フィブリン接着剤である、方法。
【請求項４０】
請求項３８に記載の方法であって、前記バイオポリマーが、アルギネートである、方法。
【請求項４１】
請求項３８に記載の方法であって、前記バイオポリマーが、フィブリン、コラーゲン、アルギネート、これらの前駆体および／または誘導体、ならびにこれらの２つ以上の組み合わせからなる群より選択される、方法。
【請求項４２】
請求項３８に記載の方法であって、前記バイオポリマーが、線維芽細胞を補充する特徴を有する、方法。
【請求項４３】
請求項３８に記載の方法であって、前記送達する工程が、神経節への適用の前に、複数の前駆体から前記バイオポリマーを形成する工程をさらに包含する、方法。
【請求項４４】
請求項３８に記載の方法であって、前記送達する工程が、神経節への適用の際に、複数の前駆体から前記バイオポリマーを形成する工程をさらに包含する、方法。
【請求項４５】
請求項２８に記載の方法であって、前記伝達改変剤が、複数の伝達改変成分を含む、方法。
【請求項４６】
請求項４５に記載の方法であって、前記伝達改変成分が、線維芽細胞成分、神経毒成分、バイオポリマー成分、および増殖因子成分から選択される２つ以上の成分の組み合わせを含む、方法。
【請求項４７】
請求項２８に記載の方法であって、前記送達する工程が、前記治療有効量の伝達改変剤を一回の注射で送達する工程を包含する、方法。
【請求項４８】
請求項２８に記載の方法であって、前記送達する工程が、前記治療有効量の伝達改変剤を複数回の注射で送達する工程を包含する、方法。
【請求項４９】
請求項２８に記載の方法であって、ここで：
前記伝達改変剤が線維芽細胞を含み、そして
前記送達する工程が、注射において、約１００万〜約１０億個の線維芽細胞を送達する工程を包含する、工程、
を包含する、方法。
【請求項５０】
請求項２８に記載の方法であって、ここで：
前記伝達改変剤が、バイオポリマーを含み、そして
前記送達する工程が、注射において、約０．１ｍｌ〜約５ｍｌのバイオポリマーを送達する工程
を包含する、方法。
【請求項５１】
請求項２８に記載の方法であって、ここで：
前記伝達改変剤が、バイオポリマーを含み、そして
前記送達する工程が、注射において、約０．５ｍｌ〜約２ｍｌのバイオポリマーを送達する工程を包含する、
方法。
【請求項５２】
請求項２８に記載の方法であって、ここで：
前記伝達改変剤が、複数の成分伝達改変材料を含み、そして
前記送達する工程が、別々の注射において、該伝達改変成分材料のそれぞれを送達する工程を包含する、
方法。
【請求項５３】
請求項５２に記載の方法であって、ここで、前記伝達改変成分材料のそれぞれが、線維芽細胞、神経毒、増殖因子、バイオポリマー、またはこれらの任意の組み合わせを含む、方法。
【請求項５４】
請求項２８に記載の方法であって、前記脂肪パッドにおける神経節を検出するために、前記心臓のマッピング電気活性をさらに含む、方法。
【請求項５５】
請求項２８に記載の方法であって、さらに以下：
心臓送達システムの遠位端を前記脂肪バット上の位置に固定する工程；および
前記伝達改変剤を、アンカーが固定されている間、該位置の近位の組織の領域に送達する工程、
を包含する、方法。
【発明の詳細な説明】
【技術分野】
【０００１】
（発明者）
Ｎｉｃｈｏｌａｓ  Ｐｅｔｅｒｓ，イギリス、ロンドン在住のイギリス国民、
Ｍａｒｋ  Ｍａｃｉｅｊｅｗｓｋｉ，ミネソタ、エジーナに在住のアメリカ国民。
【０００２】
（関連出願に対する相互参照）
本出願は、２００３年１１月１３日に出願された米国仮特許出願第６０／５１９，５８８号（Ｐｅｔｅｒら，「Ｍｅｔｈｏｄ  ｔｏ  Ｃｏｎｔｒｏｌ  Ｖｅｎｔｒｉｃｕｌａｒ  Ｒａｔｅ」）、２００３年１１月２０日に出願された米国仮特許出願番号第６０／５２３，８４８号（Ｐｅｔｅｒｓら，「Ｍｅｔｈｏｄ  ｔｏ  Ｃｕｒｅ  Ａｔｒｉａｌ  Ｆｉｂｒｉｌｌａｔｉｏｎ  ｂｙ  Ｍｏｄｉｆｙｉｎｇ  Ｌｏｃａｌ  Ａｕｔｏｎｏｍｉｃ  Ｓｕｐｐｌｙ」）、２００４年３月３日に出願された米国特許仮出願第６０／５５０，１８５号（Ｐｅｔｅｒｓら，「Ｔｒｅａｔｍｅｎｔ  ｏｆ  Ｃａｒｄｉａｃ  Ａｒｒｈｙｔｈｍｉａｓ」）、および２００４年３月４日に出願された米国仮特許出願第６０／５５０，０７６号（Ｐｅｔｅｒｓら，「Ｔｒｅａｔｍｅｎｔ  ｏｆ  Ｃａｒｄｉａｃ  Ａｒｒｈｙｔｈｍｉａｓ  ｗｉｔｈ  Ｎｅｕｒｏｔｏｘｉｎｓ」）（これらは、本明細書中でその全体が本明細書に対する参考として援用される）に対する利益を主張する。
【背景技術】
【０００３】
（発明の背景）
本発明は、心臓に関連する医学的状態の処置、より詳細には、心臓の脂肪パッド内の神経伝達の改変による不整脈の制御に関する。
【０００４】
（関連する分野の説明）
自律神経系（ＡＮＳ）は、交感神経系と副交感神経系とに分けられる。交感神経系は、心拍数および心室収縮を増加し、骨格筋において血管を拡張し、肌および腸の血管を収縮し、血中の糖レベルを増加し、発汗を刺激し、瞳孔を拡大し、腸液および胃液の活性化を阻害する。副交感神経系は、安静な状態においてより活性であり、一般的な同化効果を有する。例えば、副交感神経系は、心拍数を下げ、瞳孔を収縮し、胃液の分泌および腸管の運動性を増加する。
【０００５】
心臓の神経制御は、交感神経と副交感神経との活性のレベル、および自律神経系のこれらの２つの辺縁の間に生じる相互作用に依存する。非特許文献１に開示されるように、局所的な心臓の機能の制御について、接合前相互反応（ｐｒｅ  ｊｕｎｃｔｉｏｎａｌ  ｉｎｔｅｒａｃｔｉｏｎ）および接合後相互反応（ｐｏｓｔ  ｊｕｎｃｔｉｏｎａｌ  ｉｎｔｅｒａｃｔｉｏｎ）の両方は、心臓、特に端部器官の標的部位における別個の自律神経の突起（例えば、ＳＡ結節、ＡＶ結節、ならびに心房および心室の収縮要素）の間で生じる。心臓神経節は、副交感神経、交感神経および、求心性神経を含有する。正常な生理学的プロセスにおいて、心臓の伝達（ｈｅａｒｔ  ｃｏｎｄｕｃｔｉｏｎ）は、細胞から細胞へ、ＳＡ結節からＡＶ結節へ、そして心房から心室へと移動する。
【０００６】
不整脈は、種々の房および心臓の他の構造に関連する異常な状態である。心房細動（「ＡＦ」）は、特に高齢者、および器官性心疾患を有する患者、ならびに冠動脈バイパス移植片（「ＣＡＢＧ」）外科手術からの回復した患者の間で、もっとも頻繁に生じる持続性の不整脈である；非特許文献２を参照のこと。ＡＦは、例えば、心臓の手術を受けた患者の５０％だけ生じる。慢性ＡＦの患者は、徴候性の頻拍または低い心拍出量を有し、かつ５〜１０％の血栓塞栓症の合併症および事象の危険性を有する。
【０００７】
ＡＦのための一般的な処置は、洞調律を回復するための電気的除細動単独かまたは抗不整脈療法と組み合わせた電気的除細動である。このような治療後の７５％という高い再発率が、報告されている。薬理学的療法は、ＡＦ患者の有意な割合において、副作用に関連する。ＡＦを処置する他のより最近の従来の方法は、外科的アプローチを介してかまたは離れた心房領域を電気的に単離するために伝達を切断する種々の形態のエネルギーを使用することによるかのいずれかにより、異常な伝達経路の切断（破壊）を中心とする。
【０００８】
アブレーションは、一般に、正常な心臓の周期を乱す異常な伝達経路に干渉するかまたは停止するための伝達ブロック（ｃｏｎｄｕｃｔｉｏｎ  ｂｌｏｃｋ）を破壊的に作製することが意図される処置技術である。伝達ブロックを形成するための代表的なアブレーション技術は、不整脈惹起性の供給源の組織または異常なカスケード伝達経路にそった組織を殺傷するように設計されたシステムおよび方法を使用する。代表的には、伝達経路の細胞は、高熱、低熱または化学的作用を介して破壊される。高熱を誘導するエネルギーの適切な型としては、高周波の電流および超音波、マイクロ波、およびレーザーエネルギーが挙げられる。低熱は、寒冷療法を使用して誘導され得る。化学的アブレーションの例は、心臓組織への破壊性のエタノール送達である。種々のこれらの技術を用いて伝達ブロックを作製することにより観察された有意な利益および処置の成功にもかかわらず、各々は、特定の有害な結果に関連する。例えば、アブレーション性の高熱または壊死を引き起こす他の形態は、瘢痕、血栓、コラーゲン減少、およびより深部の組織に対する所望されない構造的損傷をもたらすことが観察されている。
【非特許文献１】ＭｃＧｕｉｒｔ，Ａ．Ｓ．，Ａｕｔｏｎｏｍｉｃ  ｉｎｔｅｒａｃｔｉｏｎｓ  ｆｏｒ  ｃｏｎｔｒｏｌ  ｏｆ  ａｔｒｉａｌ  ｒａｔｅ  ａｒｅ  ｍａｉｎｔａｉｎｅｄ  ａｆｔｅｒ  ＳＡ  ｎｏｄａｌ  ｐａｒａｓｙｍｐａｔｈｅｃｔｏｍｙ，Ａｍ．Ｊ．Ｐｈｙｓｉｏｌ．２７２（Ｈｅａｒｔ  Ｃｉｒｃ．Ｐｈｙｓｉｏｌ．４１），１９９７，Ｈ２５２５−Ｈ２５３３
【非特許文献２】Ｓｔｅｉｎｂｅｒｇ，Ｊｏｎａｔｈａｎ  Ｓ．，Ｐｏｓｔｏｐｅｒａｔｉｖｅ  Ａｔｒｉａｌ  Ｆｉｂｒｉｌｌａｔｉｏｎ：Ａ  Ｂｉｌｌｉｏｎ−Ｄｏｌｌａｒ  Ｐｒｏｂｌｅｍ，Ｊｏｕｒｎａｌ  ｏｆ  ｔｈｅ  Ａｍｅｒｉｃａｎ  Ｃｏｌｌｅｇｅ  ｏｆ  Ｃａｒｄｉｏｌｏｇｙ，２００４，Ｖｏｌ．４３，Ｎｏ．６
【発明の開示】
【発明が解決しようとする課題】
【０００９】
それゆえに、心臓組織をアブレーションすることなく不整脈を制御する必要がある。
【課題を解決するための手段】
【００１０】
（発明の要旨）
本発明の１つの実施形態は、患者の心臓において不整脈を制御するためシステムであり、このシステムは、心臓送達システム（ｃａｒｄｉａｃ  ｄｅｌｉｖｅｒｙ  ｓｙｓｔｅｍ）および心臓送達システムに結合した伝達改変剤（ｃｏｎｄｕｃｔｉｏｎ−ｍｏｄｉｆｙｉｎｇ  ａｇｅｎｔ）の供給源を備える。伝達改変剤は、神経節における神経伝達の改変のために有効である。心臓送達システムは、伝達改変剤をその供給源からその神経節の近位の少なくとも１つの心臓の脂肪パッドへと送達するための遠位部分を備える。
【００１１】
本発明の別の実施形態は、患者の心臓の不整脈を制御するためのシステムであり、このシステムは、心臓送達システム；および上記心臓送達システムに結合された伝達改変剤の供給源を備える。上記伝達改変剤は、神経節における神経伝達を改変し、複数の成分を含有するのに有効である。上記供給源は複数の別個のセクションを備え、上記成分は、それぞれその上記供給源のセクション内に別個に含まれる。上記心臓送達システムは遠位部分を備え、上記遠位部分は、その先端に伝達改変剤の成分を送達するための複数のチャネル；および複数の別個の送達チャネルを備え、上記心臓送達システムの遠位チャネルは、それぞれ上記送達チャネルを通って上記供給源セクションとそれぞれ流体連絡する。
【００１２】
本発明の別の実施形態は注射針であり、上記注射針は、その先端に伸びる複数のチャネルを備える遠位部分；および複数の別個の送達チャネルを備え、上記心臓送達システムの遠位チャネルは、上記送達チャネルと流体連絡する。
【００１３】
本発明の別の実施形態は、患者の心臓の不整脈を制御するための方法であり、上記方法は、不整脈を検出する工程；神経節において神経伝達を改変するのに有効な伝達改変剤の供給源を調製する工程；および上記供給源からの治療有効量の上記伝達改変剤を、その神経節の近位の少なくとも１つの心臓の脂肪パッドに送達する工程、を包含する。
【発明を実施するための最良の形態】
【００１４】
（最良の形態を包含する、発明の詳細な説明）
心房細動（「ＡＦ」）に対する２種類の広範な戦略的処置の選択としては、リズムの制御と速度の制御がある。リズムの制御について、処置は、洞調律に回復しそして維持する工程に関する。肺静脈および心房は、いくつかは肺静脈に隣接する、種々の明確に規定された心臓周囲の脂肪パッドに存在する心臓神経節を主に介して、自律神経支配に富む。自律神経操作（ａｕｔｏｎｏｍｉｃ  ｍａｎｉｐｕｒａｔｉｏｎ）および自律神経支配は、ＡＦの誘発および維持についての閾値を劇的に変更することができ、そしてこのアプローチは、過去に、適切なＡＦモデルを作製するために実験的に使用されてきたことが、理解されている。
【００１５】
ＰＶ単離のための戦略に基づいた臨床試験からの新しいデータは、臨床的な成功が、完全な単離を達成することなく可能であり得ることを示す。これらの観察は、ＡＦに対する誘発因子の単離だけでなく、自律神経支配のアブレーションによる基質（ｓｕｂｓｔｒａｔｅ）の改変もまた達成されることを、示す。後者の効果は、治療の成功の顕著な決定因子である可能性がある。
【００１６】
多くの研究者らは、心臓自立神経節への実験的干渉が、ＡＦへの傾向の改変を達成でき、最近の臨床研究では、心臓神経節からの自立神経支配の下流部位に指示を出し、刺激が自律神経の緊張における測定可能な変化を生み出す部位を標的とすることにより、肺静脈の開口部の周囲を切断することが、ＡＦの廃止を成功させることを示したことを、報告した。本発明者らは、ＡＦの機構が、局所的な自律神経の機能不全（自立神経障害）に依存すること、およびＡＦの誘発因子および基質は、自律神経支配の機能の特定の改変、または自律神経補助（ｓｕｐｐｌｙ）の妨げ、あるいは脂肪パッド内の自律神経節のレベルにおけるその両方により、処置され得ると考えている。
【００１７】
本発明者らは、ＡＦ誘発因子および特にＡＦの基質は、心臓の心外膜の種々の脂肪パッドにおける神経伝達を改変することにより処理され得ることを見出した。主な目的の神経節は、３つの心外膜脂肪パッドにある：右肺（「ＲＰＶ」）脂肪パッド（この脂肪パッドは、上部右心房および洞房結節に優先的に神経線維を供給する）；下部大静脈−左動脈（「ＩＶＣ−ＬＡ」）脂肪パッド（この脂肪パッドは、ＡＶ結節領域および両方の房に神経線維を供給する）；ならびに上部大静脈と大動脈との間に位置する第３の脂肪パッド（「ＳＶＣ−ＡＯ」）。ＳＶＣ−ＡＯ脂肪パッドは、ＲＰＶ脂肪パッドおよびＩＶＣ−ＬＡ脂肪パッドの両方に遠心性の線維を提供し、ならびに両方の房にさらなる線維を提供する。これらの脂肪パッドは、特に関心がある。なぜならば、これらの脂肪パッドは、アクセス可能でありかつ別個に識別可能であるからである（他の脂肪パッドも同様に適切であり得る）。これらの３つの内のＲＰＶ脂肪パッドおよびＩＶＣ−ＬＡ脂肪パッドは、特に好ましい。なぜならば、ＳＶＣ−ＡＯ脂肪パッドからの遠心性の線維は、上記脂肪パッドに同様に提供されるからである。
【００１８】
種々の伝達改変剤としては、種々のバイオポリマー（例えば、フィブリン接着剤およびアルギン酸塩）、種々の細胞（例えば、線維芽細胞（同種異系または自系）、種々の神経毒（例えば、ボツリヌス毒素Ａ型（Ｂｏｔｕｌｉｎｕｍ  Ｔｙｐｅ  Ａ））、および種々の増殖因子（例えば、線維芽細胞増殖因子）が挙げられる。伝達改変剤は、任意の所望の様式（好ましくは、経皮挿入されたカテーテルからの注射によるか、または開心術の場合において心外膜を通った直接の注射による）において心外膜か心内膜のいずれかで脂肪パッドに導入される。好ましくは、患者の心臓は、注射の間中鼓動している。
【００１９】
伝達改変剤は、例えば、トロンビン前駆体に対するフィブリノーゲン前駆体の１対１（１：１）比の混合物から形成されたフィブリン接着剤であり得る。フィブリノーゲンおよびトロンビンは、標的の解剖学的位置において混合が生じかつ送達システム内でも標的の解剖学的位置の外側でも混合が生じないように、好ましくは２本のチャネルを備えた針または別個の針を通して混合されない形態で標的の解剖学的位置に別個に送達される。陽性の臨床的結果のための十分な用量は、標的の解剖学的位置への１回１ｍｌのフィブリン注射であるが、この用量は、所望の治療効果を達成するために必要に応じて変化し得る。
【００２０】
伝達改変剤は、例えば、ヒト患者の心臓へ注射される線維芽細胞であり得る。線維芽細胞は、ウシ血清アルブミン（「ＢＳＡ」）の溶液またはヒト組織に生体適合性である任意の他の適切なキャリア溶液で注射され得る。注射される溶液の容量は、一回の注射あたり１０００万個〜１億個の線維芽細胞を含んで、一回の注射あたり約０．１ｍｌ〜約５ｍｌまでの容量の範囲であり得る。線維芽細胞の複数の注射は、同じ医療処置の間かまたは別の医療処置にわたるかのいずれかで、同じ解剖学的位置に送達され得る。例えば、線維芽細胞の「用量」は、最初に、臨床的効力を評価するために設定された適切な「経過観察」期間で、処置部位に送達され得る。次いで、適切であると判断された場合、さらなる線維芽細胞が、最初の投薬を補うために同じ広汎性（ｇｅｎｅｒａｌ）解剖学的位置へ注射されて、所望の臨床結果を生じ得る。５０倍以上の線維芽細胞の注射は、同じ広汎性解剖学的位置に注射されて、所望の臨床結果を生じ得る。
【００２１】
他の細胞型は、それらが線維芽細胞のように使用され得る場合、心臓細胞との十分なギャップジャンクションを提供して所望の伝達ブロックを形成する。細胞の送達にさらに関して、これらの細胞は、患者自身の細胞（例えば自家性）から培養されても、または身体に対する異物（例えば、調節細胞培養由来）でもよい。
【００２２】
心臓送達システムの１つの特定のかつ例示的な実施において、不整脈は、伝達改変剤を１つ以上の心臓の脂肪パッドに送達することにより処置される。伝達改変剤の供給源が提供される。心臓送達システムは、その供給源に接続されて、その供給源から心臓の脂肪パッドの所望の位置に伝達改変剤の容量を送達する。
【００２３】
心臓送達システムの例示的な心臓内での実施において、不整脈の発生源（ｓｏｕｒｃｅ）および／または位置を同定するために、心臓伝達マッピングシステム（ｃａｒｄｉａｃ  ｃｏｎｄｕｃｔｉｎｇ  ｍａｐｐｉｎｇ  ｓｙｓｔｅｍ）が含まれる。このマッピングシステムは、任意の適切な様式（例えば、電磁エネルギーを適用することによるか、または組織内の電位を検出することによる）において実施され得る。材料の供給源は、伝達改変剤の調製物を含有する。カテーテルが使用されて、伝達改変剤を不整脈に関連する神経支配を含む脂肪パッドに送達し、神経節における伝達を改変して、それにより不整脈を低減するかまたは排除する。このカテーテルは、脂肪パッドに注射されるように適合されている。
【００２４】
心臓送達システムの別の例示的な実施において、材料の供給源は、２種類（または複数）の前駆体の伝達改変剤の調製物であり、そしてカテーテルは、伝達改変剤を不整脈に関連する神経支配を含む脂肪パッドに送達し、神経節における伝達を改変して、それにより不整脈を低減するかまたは排除するために提供される。前駆体の各々について別個のシリンジが使用され、このシリンジは、分枝セクションに接続されて、次に複数のチャネルを備えたカテーテルに接続される。別個のチャネルは、各々のシリンジから分枝セクションを通り、そしてカテーテルの端部まで延びる。このシリンジのプランジャーが押されると、前駆体はそれぞれ別個のチャネル内を運搬され、カテーテルの開口部を通過した直後に神経節を持つ叢（ｇａｎｇｌｉｏｎａｔｅｄ  ｐｌｅｘｕｓｅｓ）の近位の脂肪パッド中で混ざる。このカテーテルは、神経節を持つ叢の近位においてその端部を脂肪パッド内に注射されように適合される。
【００２５】
不整脈処置システムを組み立てるための方法の例示的な実施において、送達用カテーテルは、伝達改変剤の調製物を心筋組織部位（例えば脂肪パッド）に送達可能なものが選択される。この送達用カテーテルは、組織に挿入され、そしてまた伝達改変剤の供給源に接続される。
【００２６】
組み立て方法のバリエーションにおいて、送達用カテーテルを介して伝達改変剤を所望の脂肪パッド部位に注射するために、送達用カテーテル内に注射器が備え付けられる。
【００２７】
患者において不整脈を処置するためのシステムの別の例示的な実施は、心臓送達システムおよびその心臓送達システムに接続された伝達改変剤の供給源を備える。この心臓送達システムは、供給源からの伝達改変剤を実質的に患者の心臓に付随する脂肪パッドに送達するように適合される。この心臓送達システムは、心外膜か心内膜かのいずれかであり得、そして伝達改変剤は、開心術手順の間に送達システムにより直接送達され得るか、あるいは経皮経管送達アプローチ（ｐｅｒｃｕｔａｎｅｏｕｓ  ｔｒａｎｓｌｕｍｅｎａｌ  ｄｅｌｉｖｅｒｙ  ａｐｐｒｏａｃｈ）で送達され得る。詳細には、送達は、それぞれさらに適切なデバイスおよび方法のバリエーションに従って、経胸腔最小浸襲性技術または経血管（例えば、冠状静脈洞または心臓の中隔の穿孔（ｓｅｐｔａｌ  ｐｅｒｆｏｒａｔｏｒｓ）を介する）によるものであり得る。
【００２８】
このシステムの１つのバリエーションにおいて、心臓送達システムは、実質的に脂肪パッドに接触するように適合された接触部材をさらに備え、この心臓送達システムは、接触部材が実質的に脂肪パッドに接触すると、伝達改変剤をその接触部材に送達する。
【００２９】
このシステムの別のバリエーションにおいて、心臓送達システムは、接触部材と協働する複数の針を備える。この複数の針は、神経節の伝達を改変するために実質的に脂肪パッド内に、そして脂肪パッド全体に線維芽細胞を注射するように、この脂肪パッド内に、そして実質的にこの脂肪パッド全体に心臓送達システムにより位置決めされる。
【００３０】
本明細書中に記載される種々の細胞治療の局面に従って、種々のさらなる局面および形態が、伝達改変剤を使用して企図されることが理解されるべきである。これらのさらなる局面および形態は、本特許明細書の研究に際して当業者に明らかである。
【００３１】
種々の物質が伝達改変剤として有用である。１つのこのような物質は、線維芽細胞および／または神経毒および／または増殖因子と合わされたフィブリン接着剤由来または他のバイオポリマー剤由来の骨格（ｓｃａｆｆｏｌｄ）を含む組成物である。必要に応じてこの組成物は、（１）フィブリン接着剤または他のバイオポリマー剤由来の骨格、（２）線維芽細胞、（３）神経毒、（４）増殖因子、あるいは（５）脂肪パッドの神経節において伝達をブロックするかまたは減じる任意の他の生物剤のみを含有する。
【００３２】
１つの実施において、伝達改変剤は、自家性の線維芽細胞を含有する。線維芽細胞は、非伝達型の細胞であり、そしてまたコラーゲンを分泌する。コラーゲンは、電気絶縁体として作用する。自家性の線維芽細胞は、患者の皮膚のバイオプシー由来であり、増殖されて、注射されおよび／または移植される。別の実施において、このような線維芽細胞は患者から取り出され、そして心臓の所望の領域に送達するのに適切であるような様式で調製される。調製物は、適切な送達カテーテルに連結される。
【００３３】
（心臓の脂肪パッドの神経節の伝達改変の原理）
哺乳動物の心臓は、神経に付随する神経節（神経節を持つ叢として知られる）の種々の集合を有する。この神経節は、多くの内在性のニューロンを含み、そのほとんどは多極であるが、いくつかの単極ニューロンおよび双極ニューロンもまた存在する。ヒト心臓において、内在性の心臓の神経節およびその付随する神経は、主に心外膜の脂肪内に埋包されて見出される。その脂肪内において、神経は、心房の５つの神経節を持つ叢および心室の５つの神経節をもつ叢を形成する。Ａｒｍｏｕｒ，Ｊ．Ａｎｄｒｅｗら、Ｇｒｏｓｓ  ａｎｄ  Ｍｉｃｒｏｓｃｏｐｉｃ  Ａｎａｔｏｍｙ  ｏｆ  ｔｈｅ  Ｈｕｍａｎ  Ｉｎｔｒｉｎｓｉｃ  Ｃａｒｄｉａｃ  Ｎｅｒｖｏｕｓ  Ｓｙｓｔｅｍ，Ｔｈｅ  Ａｎａｔｏｍｉｃａｌ  Ｒｅｃｏｒｄ，Ｖｏｌ．２４７，１９９７，ｐｐ．２８９−２９８に開示されるように、心房の神経節を持つ叢（「ＡＧＰ」）は、右心房の上部表面（上部右ＡＧＰ）、左心房の上部表面（上部左ＡＧＰ）、右心房の後部表面（後部右ＡＧＰ）、左心房の後中部表面（後内側ＡＧＰ）（後部右ＡＧＰおよび後内側左ＡＧＰは、心房中隔へ前部に延びて内部で融合する）、および後部左心房の上部および外側の局面（後外側左ＡＧＰ）上において見出され得る；一方、心室の神経節を持つ叢（「ＶＧＰ」）は、大動脈根（ａｏｒｔｉｃ  ｒｏｏｔ）を取り巻く脂肪（大動脈根ＶＧＰ、右部、前部、左部、および後部の構成要素がある）、右冠状動脈および左冠状動脈の起点（ｏｒｉｇｉｎ）、左前下行冠動脈および左前回旋冠動脈の起点の後部に伸びる脂肪（前部下行ＶＧＰ）、後部下行冠動脈の起点における脂肪（後部下行ＶＧＰ）、右鋭角冠状動脈の起点に隣接する脂肪（右鋭角ＶＧＰ）、および左鈍角冠状動脈の起点における脂肪（鈍角ＶＧＰ）において見出され得る。ニューロンはまた、これらの部位の外側、主に他の大きな冠状動脈の分枝点に付随する脂肪に位置し得る。
【００３４】
他の脂肪パッドは、本明細書中に記載される原理に従って処置を受容し得るが、３つの心外膜の脂肪パッドが、主な目的となる。これらは、右肺（「ＲＰＶ」）脂肪パッド（この脂肪パッドは、上部右心房および洞房結節に優先的に神経線維を供給する）、下部大静脈−左動脈（「ＩＶＣ−ＬＡ」）脂肪パッド（この脂肪パッドは、ＡＶ結節領域および両方の房に神経線維を供給する）；ならびに上部大静脈−大動脈（「ＳＶＣ−ＡＯ」）脂肪パッド（この脂肪パッドは、ＲＰＶ脂肪パッドおよびＩＶＣ−ＬＡ脂肪パッドの両方に遠心性の線維を提供し、ならびに両方の心房にさらなる線維を提供する）である。
【００３５】
神経節を持つ叢内で、シナプスとして公知のニューロン間の機能的接着部位において、一方のニューロンから他方のニューロンへインパルスが伝達される。中枢神経系における数個のシナプスは、電気シナプスであるが、ニューロン間の伝達は、通常、活性化細胞またはシナプス前部細胞の軸索終末により放出される化学的神経伝達物質によるものである。神経伝達物質は、シナプス間隙を越えて広がり、シナプス後部細胞膜上のレセプターに結合する。このことは、シナプス後部細胞における電気的変化を提供する。
【００３６】
伝達改変剤の１つの型は、注射可能なバイオポリマーである（フィブリン接着剤およびアルギン酸塩がその例である）。バイオポリマーは、注射の際に半剛体の骨格となり、フィブリンマトリクスを形成する。本発明者らは、このマトリクスがシナプスにおけるインパルスの伝達を物理的に乱すと考えている。フィブリン自体は、電気的に絶縁であり、存在し得る任意の電気的シナプスにおける伝達を阻害することが期待される。
【００３７】
代表的なフィブリンマトリクスは、冠状動脈バイパス移植片（「ＣＡＢＧ」）外科手術ならびに他の心臓外科手術および手順から回復した患者において、ＡＦの制御のために特に有利である興味深い性質を有する。Ｓｔｅｉｎｂｅｒｇ，Ｊｏｎａｔｈａｎ  Ｓ．，Ｅｄｉｔｏｒｉａｌ  Ｃｏｍｍｅｎｔ：Ｐｏｓｔｏｐｅｒａｔｉｖｅ  Ａｔｒｉａｌ  Ｆｉｂｒｉｌｌａｔｉｏｎ，Ａ  Ｂｉｌｌｉｏｎ  Ｄｏｌｌａｒ  Ｐｒｏｂｌｅｍ，Ｊｏｕｒｎａｌ  ｏｆ  ｔｈｅ  Ａｍｅｒｉｃａｎ  Ｃｏｌｌｅｇｅ  ｏｆ  Ｃａｒｄｉｏｌｏｇｙ，Ｖｏｌ．４３，Ｎｏ．６，Ｍａｒｃｈ  １７，２００４，ｐｐ．１００１−１００３において認められるように、ＡＦは、冠状動脈バイパス移植片（「ＣＡＢＧ」）外科手術に関連する最も一般的な合併症である。ＡＦは、外科手術後の最初の２〜４日間において急に群発する。その群発は、房において以前から存在する電気生理学的脆弱性の一部結果であるが、手術前の電気的異常および構造的異常ならびに手術後の細動前因子（ｐｒｏｆｉｂｒｉｌｌａｔｏｒｙ  ｆａｃｔｏｒｓ）とともに、多くの寄与因子が存在する可能性がある。Ｃｕｍｍｉｎｇｓ，Ｊｅｎｎｉｆｅｒ  Ｅ．，Ｐｒｅｓｅｒｖａｔｉｏｎ  ｏｆ  ｔｈｅ  ａｎｔｅｒｉｏｒ  ｆａｔ  ｐａｄ  ｐａｒａｄｏｘｉｃａｌｌｙ  ｄｅｃｒｅａｓｅｓ  ｔｈｅ  ｉｎｃｉｄｅｎｃｅ  ｏｆ  ｐｏｓｔｏｐｅｒａｔｉｖｅ  ａｔｒｉａｌ  ｆｉｂｒｉｌｌａｔｉｏｎ  ｉｎ  ｈｕｍａｎｓ，Ｊｏｕｒｎａｌ  ｏｆ  ｔｈｅ  Ａｍｅｒｉｃａ  Ｃｏｌｌｅｇｅ  ｏｆ  Ｃａｒｄｉｏｌｏｇｙ，Ｖｏｌ．４３，２００４，ｐｐ．９９４−１０００において報告されるように、ＣＡＢＧの間の前部脂肪パッドの除去の一般的な実施は、前不整脈性（ｐｒｏａｒｒｈｙｔｈｍｉｃ）であるように見え、そして交感神経調節および副交感神経調節のバランスの不調に起因し得る。Ｓｔｅｉｎｂｅｒｇは、前部脂肪パッドの除去に起因する心房の神経支配の不均質な損失は、異質性の難病を悪化させ得、このことは、ＡＦ機構の再入の促進に重要であり、そしてＡＦの重要な決定要因であることを報告した。もしそうであれば、多くの問題が提起される。１つのこのような問題は、完全な脱神経が、保存された神経支配よりも有効であるかどうかということである。別のこのような問題は、脂肪パッドが取り除かれた場合、洞房結節またはＡＶ結節の機能、あるいは他の自律神経系の心筋応答に対する重要な、有害な効果が存在するかどうかということである。
【００３８】
冠状動脈バイパス移植片（「ＣＡＢＧ」）外科手術ならびに他の心臓外科手術および手順から回復した患者において、代表的なフィブリンマトリクスをＡＦの制御のために特に有利にする興味深い性質は、フィブリンマトリクスが７日間〜１０日間だけ維持され、その時点においてフィブリンマトリクスは分解し始めることである。したがって、代表的なフィブリンマトリクスについての伝達の改変は、一時的なものであり、そして外科手術または手順に続く重要な期間の間の完全な脱神経を達成し、次に完全な不可逆性の脱神経から生じるその他の任意の有害な影響を避けるための機能を回復するために使用され得る。ＳＶＣ−ＡＯ脂肪パッドが取り除かれた場合においてさえも、残ったＲＰＶ脂肪パッドおよびＩＶＣ−ＬＡ脂肪パッドは、外科手術または手順に続く重要な期間に完全な脱神経を達成し、次に残ったＲＰＶ脂肪パッドおよびＩＶＣ−ＬＡ脂肪パッドの機能を回復するために、バイオポリマーで処置され得る。
【００３９】
図１は、頸部迷走神経１２０の節前ニューロン１１０から洞房結節１６０への神経経路１００を示す、単純化した概略図である。節前ニューロン１１０は、ＲＰＶまたは洞房結節の脂肪パッド１４０内の神経節のシナプス１３０を通して節後ニューロン１５０と連絡する。節後ニューロン１５０は、洞房結節１６０に連結されている。
【００４０】
図２は、時間領域における試験のイヌ被験体の洞房結節の脂肪パッド１４０（図１）へのフィブリン接着剤（ｆｉｂｒｉｎ  ｇｌｕｅ）の注射期間後の結果を示すグラフ２００である。時間領域追跡２１０、２２０、２３０、および２４０は、洞調律応答についてのコントロールデータを表し、そしてそれぞれフィブリン混合物を注射した約４週間後の頸部迷走神経１２０に電気刺激を与える前のＥＣＧ、右心房ＲＡ、右心室ＲＶ、および血圧ＢＰシグナルを示す。時間領域追跡２５０〜２８０は、電気刺激が頸部迷走神経１２０に適用された後の電気刺激後の同じ生理学的応答を示す。まとめると、追跡２５０〜２８０は、心臓事象（ｃａｒｄｉａｃ  ｅｖｅｎｔ）の時間間隔の増加による動物の心拍数の有意な「減速」を示す。本発明者らは、フィブリン接着剤マトリクスが、頸部迷走神経１２０への電気刺激が有効となるように再吸収し、そして動物の心拍数を下げるための副交感神経応答を開始することが可能であると考えている。
【００４１】
伝達改変剤の別の型としては、線維芽細胞の注射可能な調製物がある。線維芽細胞は、身体内に線維組織を形成する結合組織細胞である。本発明者らは、線維芽細胞が神経節をもつ叢の近位の脂肪パッドに注射された場合、線維芽細胞は、シナプスの付近に移植され、そしてシナプスのインパルスの伝達を物理的に乱すと考えている。線維芽細胞は、電気的に絶縁性であり、存在し得る任意の電気シナプスにおける伝達を阻害すると期待される。その効果は持続性である。
【００４２】
伝達改変剤の別の型は、線維芽細胞増殖因子（「ＦＧＦ」）の注射可能な調製物である。線維芽細胞増殖因子は、線維芽細胞増殖を誘導するために身体内で線維芽細胞に作用するサイトカインのファミリーを記載する。身体の種々の器官（神経系および心臓が挙げられる）のほとんどの細胞は、ＦＧＦに対するレセプターを所持し、それゆえにその生物学的効果に感受性である。さらに、線維芽細胞増殖因子は、種々のバイオポリマーに結合されて結合分子を形成し得る。適切なバイオポリマーとしては、多糖および粘膜付着物（ｍｕｃｏ−ａｄｈｅｓｉｖｅｓ）が挙げられる。ＦＧＦは、熱または酸に暴露された場合に容易に変性され得る小タンパク質である。ＦＧＦが結合した場合、そのタンパク質はより安定となる。結合は、特定の部位におけるＦＧＦの所望の作用が維持されることを確実にするために、そのキャリアからのＦＧＦの放出をさらにプログラムすることができる。
【００４３】
伝達改変剤の別の型は、神経毒の注射可能な調製物である。有用な神経毒としては、ボツリヌス毒素（例えば、ボツリヌス毒素Ａ型，これは、Ｉｒｖｉｎｅ，  ＣａｌｉｆｏｒｎｉａのＡｌｌｅｒｇａｎ  Ｉｎｃ．からＢＯＴＯＸ（登録商標）Ｐｕｒｉｆｉｅｄ  Ｎｅｕｒｏｔｏｘｉｎ  Ｃｏｍｐｌｅｘの名で入手可能である）が挙げられる。当該分野で周知の別のボツリヌス毒素は、ボツリヌス毒素Ｂ型である、本発明者らは、ボツリヌス毒素が神経節を持つ叢の近位の脂肪パッドに注射される場合、ボツリヌス毒素は、シナプスのインパルスの伝達を乱すと考えている。その効果は一過性であり、そしてニューロンは、一般に約３〜６ヶ月で回復する。
【００４４】
本明細書中に記載される原理による不整脈の処置は、脂肪パッド内の伝達ブロックを作製するための非常に有益な非アブレーション性の技術または最小限のアブレーション技術と考えられる。この局面は、心臓の伝達ブロックを形成するための他の従来の技術（例えば、特に従来の外科切除および従来のエネルギーアブレーション（ｅｎｅｒｇｙ  ａｂｌａｔｉｏｎ））の多くの他の副作用および欠点なくして、意図された治療における大きな利益を提供する。アブレーションエネルギー送達の様式に対するコラーゲンの収縮および他の実質的な瘢痕応答をともなう高熱が、回避される。さらに、多くのアブレーション技術は、標的の位置においてかまたは標的の位置を越えて、組織内のエネルギー送達の制御、そしてそこからの衝撃の広がりを受ける。例えば、多くのＲＦエネルギーアブレーションデバイスおよび技術は、炭化（ｃｈａｒｒｉｎｇ）を引き起こす。この炭化は、経壁伝達ブロックを形成するのに必要な高熱グラジエントに関連する。周囲組織への所望されないエネルギーの発散は、多くの従来のエネルギーアブレーション技術を使用してしばしば観察され、そしてこれもまた回避される。
【００４５】
本明細書中に記載される原理による不整脈の処置は、実施するのに比較的容易である。なぜならば、主要な脂肪パッドは、容易に同定可能であり、かつその中の神経節を持つ叢は、用意にアクセス可能であるからである。さらに、治療有効量の伝達改変剤は、その因子が他の心臓形態に適用される場合よりも脂肪パッドに適用される場合に、より安全である。治療有効量の一般的な安全性は、伝達改変剤（線維芽細胞、細胞毒、増殖因子、およびバイオポリマーが挙げられる）の多くの型が、脂肪パッドの脂肪（所望の効果が達成される神経支配部位、ならびにほとんどまたは全く効果を有さない他の場所が挙げられる）を通して分散されることに起因する。線維芽細胞は、インビボでさらに増殖し、そして標的組織全体に広がる。
【００４６】
（いくつかの伝達改変剤のための調製技術）
線維芽細胞は、心臓の脂肪パッドの神経節における伝達を改変するために使用され得る。線維芽細胞は、通常組織の癒合に関連する。活性化の際に、細胞型から活性化された表現型への遷移がおこる。活性化された表現型は、正常組織において対応する休止細胞とは基本的に異なる生物機能を有する。これらの細胞の表現型（調節された遺伝子発現から生じる）は、サイトカイン、増殖因子および下流の核標的により調節される。これらは、低酸素環境においてさえも生存しそして増殖し得る。正常組織内の休止線維芽細胞は、主に細胞外マトリクスの定常状態の代謝回転を担う。
【００４７】
線維芽細胞の移植が使用されて、脂肪パッド内の不整脈経路（ａｒｒｈｙｔｈｍｉｃ  ｐａｔｈｗａｙｓ）に沿った神経節を持つ叢に線維芽細胞を送達する。線維芽細胞の性質は、組織内の空間を充填することである。脂肪パッドに注射された場合、線維芽細胞は脂肪パッド内の間隙を充填するが、一旦線維芽細胞が一杯になり始めると、一般的に増殖（ｐｒｏｌｉｆｅｒａｔｉｏｎ）および増殖（ｍｕｌｔｉｐｌｉｃａｔｉｏｎ）を停止するように遺伝的にプログラムされている。
【００４８】
線維芽細胞は、細胞治癒を介して伝達ブロックを作成するのに非常に有益である。１つの特定の有益な観点において、線維芽細胞は、増殖細胞から成熟細胞への遷移段階を、骨格筋芽細胞が筋管へ転換する場合にそうであるようには、通らない。それゆえに、線維芽細胞は、骨格筋と比較してより均一な励起パターンを有する。さらに、線維芽細胞の電気生理学的特性は、１つの線維芽細胞から次の線維芽細胞へ均一に一貫しており、そして伝達をブロックするのに有効であると考えられている。
【００４９】
線維芽細胞調製の例示的な方法は、患者自身の身体由来の自家性線維芽細胞（例えば、皮膚サンプル由来の線維芽細胞）を使用し、次にそれらを（例えば、培養／調製キットで）調製し、そしてそれらを心臓組織構造内の位置に移植して不整脈経路にそった心臓組織伝達を遅らせ、心臓における伝達の乱れ（例えば、心房細動、心室頻拍および／または心室不整脈（ｖｅｎｔｒｉｃｕｌａｒ  ａｒｒｈｙｔｈｍｉａｓ）ならびにＣＨＦ）を処置する。線維芽細胞は、心臓の伝達経路をブロックするかまたは変化／再形成するかのいずれかの能力を有する。
【００５０】
皮膚線維芽細胞は、ＰＤＧＦへの移動を促進し、そしてコラーゲン蓄積およびＭＭＰ合成を増加し、そして正味のコラーゲン蓄積物を増加する。この線維芽細胞のギャップジャンクションの欠けたタンパク質と結合したコラーゲンマトリクスの形成は、電気収縮単離（ｅｌｅｃｔｒｏｍｅｃｈａｎｉｃａｌ  ｉｓｏｌａｔｉｏｎ）に対するポテンシャルを作成する。電気伝達の全体的な欠如は、以前に心筋梗塞を有する患者の心筋層の線維芽細胞が移動した領域において観察された。
【００５１】
線維芽細胞は、身体（肺、心臓、皮膚）において単離し、培地中で増殖させ、そしてポリマーキャリアまたは骨格を用いてかあるいは用いないかのいずれかで注射、移植片送達（ｇｒａｆｔ  ｄｅｌｉｖｅｒｙ）、移植などを介して心臓の領域に導入する多くの組織から生検され得る。この心臓領域は、不整脈経路中における伝達を改変するかまたは不整脈経路を隔絶する必要がある。線維芽細胞の調製物は、主に１つの材料または１つのみの材料あるいは材料の組み合わせを含有し得る。例えば、線維芽細胞を含む調製物はまた、例えば、特に送達カテーテルの送達管腔を通って注射されるように適合される細胞内媒体として全体の調製物中に細胞を提供するために、他の材料（例えば、流体または他の基質）を含有し得る。１つの特定の実施例において、線維芽細胞は、バイオポリマー材料（例えば、フィブリン接着剤）と合わせられ得る。このフィブリン接着剤それ自体は、心臓内の所望の位置において細胞に送達される場合に、混合されて伝達ブロックの形成を補助するフィブリン接着剤を形成する２種類の前駆体として提供される。コラーゲンまたはその調製物（コラーゲンの前駆体またはアナログまたは誘導体が挙げられる）はまた、この組み合わせにおいて有用であると考えられる。
【００５２】
バイオポリマーは、心臓の脂肪パッドの神経節における伝達を改変するために使用され得る。バイオポリマーは、脂肪パッドにおける不整脈経路に沿って神経節を持つ叢に送達される。一般に、ポリマーは、複数の単位または「マー」の鎖であると考えられる。フィブリン接着剤は、例えば、重合されたフィブリンモノマーを含有し、そして本明細書中でさらにその構成要素が生物学的であることから、バイオポリマーの例示であると考えられる。キット中のトロンビンは、酵素学的にフィブリノーゲンをフィブリンに切断する開始剤または触媒である。次いで、そのモノマーを、フィブリンゲルまたはフィブリン接着剤に重合化し得る。有用なフィブリン接着剤は、ＴＩＳＳＥＡＬＴＭであり、このフィブリン接着剤は、Ｂａｘｔｅｒ  Ｈｅａｌｔｈｃａｒｅ，Ｉｎｃ．（Ｃｈｉｃａｇｏ，Ｉｌｌｉｎｏｉｓ）から入手可能である。フィブリン接着剤の他の例は、Ｓｉｅｒｒａ，ＤＨ，「Ｆｉｂｒｉｎ  ｓｅａｌａｎｔ  ａｄｈｅｓｉｖｅ  ｓｙｓｔｅｍｓ：ａ  ｒｅｖｉｅｗ  ｏｆ  ｔｈｅｉｒ  ｃｈｅｍｉｓｔｒｙ，ｍａｔｅｒｉａｌ  ｐｒｏｐｅｒｔｉｅｓ  ａｎｄ  ｃｌｉｎｉｃａｌ  ａｐｐｌｉｃａｔｉｏｎｓ，」Ｊ．Ｂｉｏｍａｔｅｒ  Ａｐｐｌ．，Ｖｏｌ．７，１９９３，３０９−５２（これは、本明細書により、その全体が本明細書中において参考として援用される）に開示される。
【００５３】
バイオポリマーは、単独でか、または別の物質と組み合わされて使用され得る。１つの有益な組み合わせにおいて、線維芽細胞およびバイオポリマーの調製物は、心臓組織構造に送達されて、そこに伝達ブロックを形成する。バイオポリマーは、伝達ブロックが形成されるべき場所に送達される線維芽細胞の保持を向上し、そしてまた、伝達ブロックの形成にさらに寄与し得る。このような線維芽細胞の細胞治療との組み合わせにおいて有意な利益を提供する材料の１つの特定の例は、フィブリン接着剤である。
【００５４】
線維芽細胞増殖因子（「ＦＧＦ」）は、心臓の脂肪パッドの神経節における伝達を改変するために使用され得る。増殖因子（「ＧＦ」）は、一般に、ポリペプチドとして一般的に公知の小タンパク質鎖である。増殖因子は、細胞表面レセプター部位に結合し、そして標的細胞上で直接作用させる。これは、一般に細胞増殖および／または分化を通してなされる。一般に、増殖因子は、損傷した細胞を修復し、細胞増殖を増強し、標的組織の最適な機能を維持し、そして老化組織を若返らせるために細胞レベルで作用する。
【００５５】
線維芽細胞増殖因子は、身体内の線維芽細胞に作用して、線維芽細胞増殖を誘導するサイトカインのファミリーを記載する。おそらく、ＦＧＦスーパーファミリーの２３のメンバーが存在し、これらは、少なくとも４つの異なるタイプの細胞表面レセプターと相互作用する。線維芽細胞増殖因子は、Ｒ＆Ｄ  Ｓｙｓｔｅｍｓ  Ｉｎｃ．ｏｆ  Ｍｉｎｎｅａｐｏｌｉｓ，ＭＮからの種々の材料にさらに詳細に記載されている（Ｒ＆Ｄ  Ｓｙｓｔｅｍｓ  Ｉｎｃ．２００１  Ｃａｔａｌｏｇ：Ｆｉｂｒｏｂｌａｓｔ  Ｇｒｏｗｔｈ  Ｆａｃｔｏｒｓ，２００１（ｈｔｔｐ：／／ｗｗｗ．ｒｎｄｓｙｓｔｅｍｓ．ｃｏｍ／ａｓｐ／ｇ＿ＳｉｔｅＢｕｉｌｄｅｒ．ａｓｐ？ＢｏｄｙｌＤ＝３０８）；およびＲ＆Ｄ  Ｓｙｓｔｅｍｓ  Ｉｎｃ．１９９６  Ｃａｔａｌｏｇ：Ｆｉｂｒｏｂｌａｓｔ  Ｇｒｏｗｔｈ  Ｆａｃｔｏｒ  ９，１９９６（ｈｔｔｐ：／／ｗｗｗ．ｒｎｄｓｙｓｔｅｍｓ．ｃｏｍ／ａｓｐ／ｇ＿ｓｉｔｅｂｕｉｌｄｅｒ．ａｓｐ？ｂＢｏｄｙＯｎｌｙ＝１＆ｂｏｄｙｌｄ＝１９９）を含む）；Ｇｏｓｐｏｄａｒｏｗｉｃｚ，Ｄｅｎｉｓ，Ｆｉｂｒｏｂｌａｓｔ  ｇｒｏｗｔｈ  ｆａｃｔｏｒ：ｃｈｅｍｉｃａｌ  ｓｔｒｕｃｔｕｒｅ  ａｎｄ  ｂｉｏｌｏｇｉｃ  ｆｕｎｃｔｉｏｎ，Ｃｌｉｎｉｃａｌ  Ｏｒｔｈｏｐｅｄｉｃｓ  ａｎｄ  Ｒｅｌａｔｅｄ  Ｒｅｓｅａｒｃｈ，Ｎｕｍｂｅｒ  ２５７，Ａｕｇｕｓｔ  １９９０，ｐｐ．２３１−２４８もまた参照のこと）。
【００５６】
神経毒は、心臓脂肪パッドの神経節における伝導を改変するために使用され得る。有用な神経毒の例は、ボツリンであり、これは、ボツリヌス菌によって産生される任意のいくつかの潜在的な神経毒であり、タンパク質分解消化に耐性である。ボツリヌス毒素Ａ型の作用の機構は、Ａｌｌｅｒｇａｎ  Ｉｎｃ．，Ｂｏｔｏｘ：ｍｅｃｈａｎｉｓｍ  ｏｆ  ａｃｔｉｏｎ（ｈｔｔｐ：／／ｗｗｗ．ｂｏｔｏｘ．ｃｏｍ／ｓｉｔｅ／ｐｒｏｆｅｓｓｉｏｎａｌｓ／ｐｒｏｄｕｃｔ＿ｉｎｆｏ／ｍｅｃｈａｎｉｓｍ  ｏｆ  ａｃｔｉｏｎ，ａｓｐ）２００４印刷によって公開された製品情報に開示されている。本質的に、ボツリヌス毒素Ａ型は、ＳＮＡＰ−２５（細胞膜に存在し、この伝達因子の放出に必要な細胞質タンパク質）を切断することによって、アセチルコリン放出を遮断する。
【００５７】
本明細書中に記載される種々の材料は、例えば、フィブリン接着剤およびその関連する薬剤、アナログおよび誘導体として、特に有効かつ有益である。しかし、他の適切な材料は、記載されたこのような特定の材料と組み合わせてまたは代替としてのいずれかで、特定の適用において使用され得る。フィブリン接着剤または関連するバイオポリマー剤が本明細書中に記載される１つの特定の関連において、コラーゲンまたはその前駆体もしくはアナログもしくは誘導体がまた、このような状況（特に、神経節のおける伝達の改変に関して）において使用され得ることがさらに企図される。さらに、このようにコラーゲンが含まれる場合、その前駆体またはアナログまたは誘導体は、例えば、身体内で代謝するかまたはそれ以外で変化してコラーゲンを形成する構造、あるいはコラーゲンを形成することに達する組み合わせ材料、あるいは分子構造が非実質的にコラーゲンの構造に変化し、その結果、その活性が、本明細書中に企図される意図される使用に関してそれらに実質的に類似した（例えば、このような機能に関して非官能性基を除去するかまたは変化させた）材料をさらに企図とする。このようなコラーゲンおよびその前駆体もしくはアナログもしくは誘導体の群は、「コラーゲン剤」と呼ばれ得る。同様に、他の「薬剤」（例えば、バイオポリマー剤、フィブリン接着剤、神経毒剤、および増殖因子剤）は、実際の最終産物、それらの別々の前駆体、または一緒もしくは配位した様式で送達されて結果として生じる材料を形成するそれらの前駆体を含み得る。
【００５８】
心臓における伝達ブロックが実質的に心臓組織を弱めることなく提供されるが、「実質的にアブレーションしない」「実質的に非アブレーション性」および類似の意味の用語は、作用の主要な機構が組織をアブレーションしないこと、および組織の大部分が材料送達の部位においてアブレーションされないことを意味するように意図されることが理解される。しかし、組織に送達される任意の材料がいくらの寄与性の細胞死を生じ得ることがまた考慮される。例えば、注射の圧力、または針の貫入それ自体でさえ、いくらかの細胞の殺傷の原因であり得るが、これは、伝達遮断が主に達成される機構ではない。類似の関連において、いくらかのレベルにおいて、全ての材料が、全ての細胞に対していくらかの毒性を有する場合が存在し得る。
【００５９】
しかし、材料は、本明細書中において、このような材料が、送達されるときに実質的に組織をアブレーションせず、そして心臓細胞が、一般的に、このような送達量でこのような材料の存在下において生存し得る場合、心臓細胞に関して実質的に非アブレーション性と考えられる。
【００６０】
本発明に従う細胞送達が、特定の状況において、送達が実行される組織の領域におけるもとの心臓細胞における実質的な細胞死または引き続くアポトーシスを生じ得るが、このようなもとの細胞が移植された細胞によって置換されることが企図される。このような状況の結果は、有益なままである。なぜなら、この構造は、組織として細胞性のままであり、古典的なアブレーション技術から生じるような、瘢痕損傷領域に対して好ましいと考えられるからである。
【００６１】
さらに、非アブレーション性伝達遮断についての本発明の種々の局面に従って提供される有意な利点にもかかわらず、さらなる実施形態はまた、例えば、同時にまたは連続的にのいずれかで、細胞またはフィブリン接着剤送達とアブレーションとを組み合わせることによって、アブレーション様式を含み得る。
【００６２】
（伝達改変剤を脂肪パッドに送達する方法）
伝達改変剤を脂肪パッドの神経節に送達するために、種々の方法が使用され得る。適切な方法は、以下に記載される：米国特許出願番号１０／３２９，２９５（２００２年１２月２３日に出願）（Ｒａｎｄａｌｌ  Ｊ．Ｌｅｅ  ａｎｄ  Ｍａｒｋ  Ｍａｃｉｅｊｅｗｓｋｉ，Ｓｙｓｔｅｍ  ａｎｄ  Ｍｅｔｈｏｄ  ｆｏｒ  Ｆｏｒｍｉｎｇ  ａ  Ｎｏｎ−Ａｂｌａｔｉｖｅ  Ｃａｒｄｉａｃ  Ｃｏｎｄｉｔｉｏｎ  Ｂｌｏｃｋ），国際公開番号ＷＯ  ０３／０９４８５５  Ａ１（２００３年１１月２０日に公開）（Ｒａｎｄａｌｌ  Ｊ．Ｌｅｅ  ａｎｄ  Ｍａｒｋ  Ｍａｃｉｅｊｅｗｓｋｉ，Ｓｙｓｔｅｍ  ａｎｄ  Ｍｅｔｈｏｄ  ｆｏｒ  Ｔｒｅａｔｉｎｇ  Ｃａｒｄｉａｃ  Ａｒｒｈｙｔｈｍｉａｓ  ｗｉｔｈ  Ｆｉｂｒｏｂｌａｓｔ  Ｃｅｌｌｓ）；米国特許出願番号１０／３４９，３２３（２００３年１月２１日に出願）（Ｒａｎｄａｌｌ  Ｊ．Ｌｅｅ，Ｓｙｓｔｅｍ  ａｎｄ  Ｍｅｔｈｏｄ  ｆｏｒ  Ｆｏｒｍｉｎｇ  ａ  Ｎｏｎ−Ａｂｌａｔｉｖｅ  Ｃａｒｄｉａｃ  Ｃｏｎｄｕｃｔｉｏｎ  Ｂｌｏｃｋ）、および国際公開番号ＷＯ  ０３／０９５０１６  Ａ１（２００３年１１月２０日に公開）（これらの全てが、その全体において、本明細書中で参考として援用される）。
【００６３】
図３は、単一成分伝達改変剤についての例示的なカテーテル注射システム３００の概略図である。カテーテル注射システムは、送達カテーテル３３０を備え、これは、その近位端においてカプラー３４０によって、シリンジ３１０からチューブ３５０に接続する細長本体であり、その遠位端に針３２０を有する。管腔は、送達カテーテル３３０を通って延びる。針３２０は、送達カテーテル３３０の遠位先端を超えて、組織内に、薬剤をシリンジ３１０から組織内に送達するために延びる。針３２０は、送達カテーテル３３０に対して固定され得るか、または軸方向に可動であり得る。針３２０は、標的部位に固定することを補助するために、直線型先端タイプ、および中空ネジ型タイプを含む種々の異なる形態のいずれかをとり得る。
【００６４】
送達カテーテル３３０の性質は、実行される手順に依存して、かなり変化し得る。図４は、カテーテル４００の横方向断面図であり、針４２０が、カテーテル本体４１０内の単一の管腔シャフト内にスライド可能に収容される。図５は、カテーテル５００の横方向断面図であり、針５２０が、カテーテル本体５１０内の管腔内にスライド可能に収容される。追加の管腔５３０および５４０は、カテーテル本体５１０内に提供され、特定の必要性に依存して、種々の異なる機能を有し得る。図６は、４管腔を有するカテーテル６００の横方向断面図である。管腔の１つは、針６３０をスライド可能に収容し、管腔の１つは、プルワイヤ６４０をスライド可能に収容し、そして残りの２つの管腔は、リードワイヤ６２０および６５０を収容し、これらは、例えば、マッピング電極に接続され得る。マッピング電極は、材料注射のため（特に、心臓内（心内膜）から脂肪パッド内への注射のため）の適切な部位を検出するためのマッピングシステムの一部である。心臓マッピングは、周知であり、例は、Ｐａｐｐｏｎｅ，Ｃａｒｌｏら、Ｐｕｌｍｏｎａｒｙ  ｖｅｉｎ  ｄｅｎｅｒａｔｉｏｎ  ｅｎｈａｎｃｅｓ  ｌｏｎｇ−ｔｅｒｍ  ｂｅｎｅｆｉｔ  ａｆｔｅｒ  ｃｉｒｃｕｍｆｅｒｅｎｔｉａｌ  ａｂｌａｔｉｏｎ  ｆｏｒ  ｐａｒｏｘｙｓｍａｌ  ａｔｒｉａｌ  ｆｉｂｒｉｌｌａｔｉｏｎ，Ｃｉｒｃｕｌａｔｉｏｎ  １０９，ｒ７−ｒ１４，２００４（これは、本明細書によって、その全体が、参考として援用される）に記載される。
【００６５】
図３のカテーテルシステムおよび図４〜６に示されるカテーテルのバリエーションが単なる例示であることが理解される。種々の異なるタイプのカテーテルシステムおよびカテーテルが、脂肪パッド内に伝達改変剤を送達および注入するために使用され得る。
【００６６】
図７は、２種類成分伝達改変剤のための例示的なカテーテル注射システム７００の概略図である。カテーテル注射システムは、送達カテーテル７５０を備え、これは、その近位端において、それぞれのシリンジ７２０および７１０から２つのチューブ７７０および７８０にカプラー７６０によって接続し、そしてその遠位端にそれぞれ針７３０および７４０を有する細長本体である。針７３０および７４０は、シリンジ７１０および７２０から組織内に薬剤を送達するために、送達カテーテル７５０の遠位先端を超えて組織内に延びる。針７３０および７４０は、送達カテーテル７５０に対して固定され得るか、または軸方向に可動であり得る。
【００６７】
カテーテル注射システム７００は、成分がバイオポリマー前駆体（例えば、フィブリン接着剤）である２種類成分伝達改変剤とともに使用するのに特に適切である。フィブリノゲンがカルシウムイオンの存在下でトロンビンと混合される場合、それは、フィブリン（血液の凝固に必須であるフィラメント状タンパク質）を形成する。特定の適用において、フィブリノゲンおよびトロンビンを身体組織の特定の領域（例えば、心臓の周り（心外膜）または心臓内（心内膜）の脂肪パッド）において混合することが望ましい。一般的に、これらの適用の多くについて、これらが注射される正確な場所以外で２つの成分を混合させることは望ましくない。カテーテル注射システム７００において、２つの成分は、成分がカテーテル注射システム７００内においてまたは注射される場所以外の任意の場所で重合する可能性が存在しないように、針７３０および７４０の遠位端から出るまで、全体的に分離されたままで維持される。
【００６８】
図８は、カテーテル注射システム７００に適切なカテーテル８００の横方向断面図である。カテーテル８００は、それぞれの針８２０および８３０をスライド可能に収容するカテーテル本体８１０中に２つの管腔を有する。針７３０および７４０（図７）は、管腔を通してシリンジ７２０および７１０と流体連絡する。フィブリン接着剤前駆体は、そのそれぞれのシリンジからそのそれぞれの針に、別々のチャネル全体に沿って流れ、その結果、前駆体が組織内への注射後のみ混合する。
【００６９】
図７のカテーテルシステム７００および図８に示されるカテーテルのバリエーションが、単なる例示であることが理解される。種々の異なるタイプのカテーテルシステムおよびカテーテルは、脂肪パッド内に伝達改変剤を送達および注入するために使用され得る。
【００７０】
図９は、例えば、開心外科手術の間、２種類成分伝達改変剤を注射するための例示的な注射システムの概略図である。図９の注射システムは、２つのシリンジ９４０および９６０を備え、これらは、単一のユニットとして成型され得るか、またはクランプ９５０によって一緒に保持される別々のシリンジであり得る。シリンジ９４０および９６０は、それらのそれぞれのプランジャーを嵌められたそれぞれの中空のバレルを有するように示される。あるいは、各バレルからのプランジャーは、一緒に結合され得、その結果、それらは、同時に押し下げられ得る。針セクション９００は、二重チャネル化部分９１０および分枝部分９２０および９３０を有し、これらの分枝部分は、それぞれ、シリンジ９４０および９６０に連結される。シリンジ９４０および９６０からの伝達改変剤の２つの成分は、それぞれの分枝９２０および９３０を通って、チャネルか部分９１０のそれぞれのチャネル内に方向付けられる。これらは、成分が注射器内においてまたは注射される場所以外の任意の場所で重合する可能性が存在しないように、針セクション９００の遠位端から出るまで、全体的に分離されたままで維持される。
【００７１】
図１０は、例えば、開心外科手術の間、２種類成分伝達改変剤を注射するための別の例示的な注射システムの概略図である。図１０の注射システムは、針セクション１０００における違いを除いて、図９の注射システムと同一である。針セクション１０００は、螺旋二重チャネル化部分１０１０および分枝部分１０２０および１０３０を有し、これらの分枝部分は、それぞれ、シリンジ９４０および９６０に連結される。シリンジ９４０および９６０からの伝達改変剤の２つの成分は、それぞれの分枝１０２０および１０３０を通って、チャネル化部分１０１０内のそれぞれのチャネル内に方向付けられる。これらは、成分が注射器内においてまたは注射される場所以外の任意の場所で重合する可能性が存在しないように、針セクション１０００の遠位端から出るまで、全体的に分離されたままで維持される。
【００７２】
針９００（図９）は、線形運動によって組織内に導入されるが、一方、針１０００（図１０）は、ねじり運動で組織内に導入され、心臓のような移動する組織に特に適切である。針９００および針１０００は、好ましくは、それらの遠位先端への全ての経路でチャネル化されている。
【００７３】
図９および１０の注射システムは、二重チャネルであるが、任意の数の別々のチャネルが針内に提供され得る。複数チャネル化針の別々のチャネルが、それぞれの前駆体を針の遠位先端にガイドする。先端は、身体組織の特定の領域（例えば、心臓の周りの脂肪パッドまたは心臓内）内へ注入される。分配される材料は、先端を離れ、次いで、針またはシリンジの内側よりも、注射される組織内で混合する。任意の数のバレルが、バレルから遠位先端へと延びる対応する数のチャネルを有するシリンジ上に存在し得る。複数チャネル化針は、別々の処理のためにバレルから除去され得るか、または中空バレルに固定され得る。さらに、カテーテル注射システム３００（図３）および７００（図７）は、示される単一のチャネル化針の代わりに複数チャネル化針を提供され得る。
【００７４】
図１１、１２および１３は、二重チャネルが針内に提供され得るいくつかの可能な方法を示す。図１１は、仕切り１１４０で区分けされ、別々の異なる管腔１１２０および１１３０を形成する本体１１１０を有する針１１００を示す。図１２は、２つの別々の異なる管腔１２２０および１２３０が形成される本体１２１０を有する針１２００を示す。図１３は、第２の内側本体１３４０を取り囲み、別々の異なる管腔１３２０および１３３０を形成する本体１３１０を有する針１３００を示す。管腔および針が丸として示されるものの、これらは、卵形または任意の他の所望の形状であり得る。
【００７５】
本明細書中に記載されるカテーテル注射システムおよび注射システムが例示であり、他の適切な置換物が、２つの前駆体材料を送達し、それらを混合して注射される薬剤を形成する目的を達成するために、使用され得る。例えば、いくつかのタイプの前駆体材料は、針の遠位部分からの送達前に（例えば、カテーテルのカプラーの近位の混合チャンバにおいて）混合され得るかまたは送達カテーテルに対する連結の前に混合され得る。さらに、１つより多くの送達デバイスが、送達される２つの材料のそれぞれのために使用され得る；例えば、２つの別々の異なる針が、患者の身体の外側に配置されたそれぞれの供給源から２つの前駆体材料のそれぞれを送達するために使用され得る。
【実施例】
【００７６】
（実施例）
外科手術調製は、以下の通りであった。２匹の雑駁種のイヌ（体重２３〜３０ｋｇ）を、静脈内でチオペンタールナトリウム（２０ｍｇ／ｋｇ）前投与し、挿管し、そして人工呼吸器（タイプＮａｒｋｏｍｅｄ  ２、Ｐｅｎｎｓｙｌｖａｎｉａ、ＴｅｌｆｏｒｄのＮｏｒｔｈ  Ａｍｅｒｉｃａｎ  Ｄｒａｇｅｒ  Ｉｎｃ．から市販）によって正常動脈血液ガスを維持するために必要とされるように、酸素を補充した室内空気で肺換気を行った。次いで、麻酔を、実験全体を通して１〜２％イソフルランで維持した。正常生理食塩水溶液を、１００〜２００ｍＬ／ｈでＩＶ注射し、自発的流体損失を置き換えた。標準的表面ＥＣＧリード（Ｉ、ＩＩ、ＩＩＩ）を、研究全体を通して連続的にモニターした。断続的な動脈血液ガス測定を行い、任意の代謝異常を補正するために人工呼吸器調節を行った。直腸温度を直腸プローブでモニターし、動物の下の電気加熱パッドおよび作業室ランプを使用して、３６０Ｃ〜３７０Ｃの体温に維持した。
【００７７】
右大腿動脈にカニューレを挿入し、マイクロマノメーター先端カテーテル圧力変換器（Ｔｅｘａｓ、ＨｏｕｓｔｏｎのＭｉｌｌａｒ，Ｉｎｃ．から市販）を挿入し、大動脈弁近くの胸部大動脈内に進め、全身血圧をモニターした。胸骨正中切開を通して胸郭を開いた後に、心臓を支持するために、心膜クレードルを作製した。カスタムメードのＡｇ−ＡｇＣｌ四重極プレート電極を、双極ペーシングおよび記録のために高右心房および右心室尖に縫合した。類似の双極プレート電極をまた、洞房結節（ＳＮ）およびＡＶＮそれぞれを選択的に刺激する副交感神経系神経経路を含む２つの心外膜脂肪パッドの刺激のために使用した。ＳＮ脂肪パッドを右肺静脈（ＲＰＶ）動脈接合部に配置した。ＡＶＮ脂肪パッドを下大静脈および左心房（ＩＶＣ−ＬＡ）の接合部に配置した。全ての信号（表面ＥＣＧ、右心房および右心室エレクトログラム、動脈血圧）を増幅し、濾波し、デジタル化し、そしてモニタリングシステム（Ｐｒｕｃｋａ  Ｅｎｇｉｎｅｅｒｉｎｇ，Ｉｎｃ．）で連続的に表示した。さらに、較正信号とともに、これらの信号を、ＡｘｏＳｃｏｐｅ（Ａｘｏｎ  Ｉｎｓｔｒｕｍｅｎｔｓ）およびカスタムソフトウェアプログラムを用いる後のコンピューター分析のために、磁気テープ（Ｖｅｔｔｅｒ  Ｄｉｇｉｔａｌ，４０００Ａ）で同時に記録した。
【００７８】
研究プロトコルは以下の通りであった。研究は、２段階（最初の急性手術、および４週間の回復後の観察）を有した。初期急性外科手術の間、本発明者らは、脂肪パッド電気刺激を送達することによって迷走神経の影響を試験した。後者を、２０Ｈｚ（５０ｍｓ間隔）、０．２〜０．５ｍｓ持続期間、および３〜５ｍＡの振幅の矩形パルスとして送達した。最終研究の間、脂肪パッドに加えて、本発明者らはまた、電気刺激を頸部迷走神経に送達した（インタクトなまま、および分散（ｄｅｃｅｎｔｒａｌｉｚａｔｉｏｎ）後）。この場合、パラメーターは、３Ｈｚ、５Ｈｚおよび１０Ｈｚ、１ｍｓ持続期間、および振幅５ｍＡであった。
【００７９】
フィブリン接着剤を、最初の急性研究の間に、２つの脂肪パッド内へ注射した。本発明者らは、Ｑｕｉｘｉｌ（２チャンネル注射器および２３ゲージ針を通して送達され、その結果、２つの成分が脂肪パッド内のみで混合される、トロンビンおよびＢＡＣの２成分混合物）を使用した。針を脂肪パッドの心外膜表面下１〜２ｍｍ挿入した。合計１ｍｌのフィブリン接着剤を各脂肪パッドに送達した。
【００８０】
以下の結果が観察された。フィブリン接着剤注射の前の脂肪パッドの電気刺激は、種々の観察可能な影響を生じた。図１４は、フィブリン接着剤の注射の前に、洞房結節脂肪パッドの電気刺激が、明白な変時効果を生じた；周期長さの延長を見るために、間隔１４１０と間隔１４２０とを比較した。同様に、図１６は、フィブリン接着剤の注射前に、ＡＶ結節脂肪パッドの電気刺激が、明確な変伝導効果を生じたことを示す；ＲＡ−ＲＶ間隔の延長を見るために、パルス１６１０および１６２０の相対的タイミングを比較した。さらに、図１８は、誘導された心房細動の間、ＡＶ結節脂肪パッドの刺激が、心室速度の強力な減少を生じたことを示す；間隔１８１０および１８２０を比較した。しかし、これらの効果は、フィブリン接着剤の注射直後の脂肪パッドの電気刺激の際に観察されなかった。図１５は、間隔１５１０および１５２０が、本質的に等しいことを示す；図１５と図１４を比較した。図１７は、パルス１７１０と１７２０の相対的なタイミングが、本質的に変化しないことを示す；図１７と図１６とを比較した。図１９は、間隔１９１０および１９２０が、本質的に等しいことを示す；図１９と図１８と比較した。
【００８１】
最初の注射の４週間後、同じプロトコルに従って、実験を繰り返し、そしてさらに、迷走神経刺激もまた、頸部迷走神経を通して送達した。４週の期間後、全ての迷走神経効果が存在した。
【００８２】
本明細書中に記載されるようなその適用および利点を含む本発明の説明は、例示であり、本発明の範囲（特許請求の範囲に記載される）を限定することを意図しない。本明細書中に開示される実施形態のバリエーションおよび改変が可能であり、実施形態の種々の要素の実際的な代替および等価物は、この特許明細書を検討して、当業者に理解される。本明細書中に開示される実施形態のこれらおよび他のバリエーションおよび改変は、本発明の範囲および精神から逸脱することなく、なされ得る。
【図面の簡単な説明】
【００８３】
【図１】図１は、心臓の洞房結節に対する頸部の迷走神経（ｃｅｒｖｉｃａｌ  ｖａｇｕｓ）における節前ニューロンからの神経経路の概略図である。
【図２】図２は、時間領域におけるイヌ試験被験体の洞房結節の脂肪パッドへのフィブリン接着剤（ｆｉｂｒｉｎ  ｇｌｕｅ）の注射期間後の結果を示すグラフである。
【図３】図３は、単一成分の伝達改変剤のためのカテーテル注射システムの概略図である。
【図４】図４は、針がカテーテル本体内の単一の管腔シャフト内にスライド可能に収容される、カテーテルの横面断面図である。
【図５】図５は、３つの管腔を有し、その１つは針をスライド可能に収容する、カテーテルの横面断面図である。
【図６】図６は、針、引張りワイヤ、および２本のリードワイヤをスライド可能に収容する、４つの管腔を有するカテーテルの横面断面図である。
【図７】図７は、２種類の成分の伝達改変剤のための例示的なカテーテル注射システムの概略図である。
【図８】図８は、それぞれ針をスライド可能に収容する２つの管腔を有するカテーテルの横面断面図である。
【図９】図９は、２種類の成分の伝達改変剤を注射するための、例示的な注射システムの概略図である。
【図１０】図１０は、２種類の成分の伝達改変剤を注射するための、別の例示的な注射システムの概略図である。
【図１１】図１１は、仕切りで区分されて分離されかつ別個の管腔を形成する本体を有する、針を示す。
【図１２】図１２は、本体内に２つの分離されかつ別個の管腔が形成される本体を有する、針を示す。
【図１３】図１３は、第２の内部の本体を取り囲んで分離されかつ別個の管腔を形成する本体を有する、針を示す。
【図１４】図１４は、時間領域におけるフィブリン接着剤注射前のＳＮ脂肪パッド刺激の洞調律に対する影響を示すグラフである。
【図１５】図１５は、時間領域におけるフィブリン接着剤注射直後のＳＮ脂肪パッド刺激の洞調律に対する影響を示すグラフである。
【図１６】図１６は、時間領域におけるフィブリン接着剤注射前のＡＶＮ脂肪パッド刺激の心房ペーシングに対する影響を示すグラフである。
【図１７】図１７は、時間領域におけるフィブリン接着剤注射直後のＡＶＮ脂肪パッド刺激の心房ペーシングに対する影響を示すグラフである。
【図１８】図１８は、時間領域におけるフィブリン接着剤注射前のＡＶＮ脂肪パッド刺激の心房細動に対する影響を示すグラフである。
【図１９】図１９は、時間領域におけるフィブリン接着剤注射直後のＡＶＮ脂肪パッド刺激の心房細動に対する影響を示すグラフである。
【図１】
2007511291.tif 000003
【図２】
2007511291.tif 000004
【図３】
2007511291.tif 000005
【図４】
2007511291.tif 000006
【図５】
2007511291.tif 000007
【図６】
2007511291.tif 000008
【図７】
2007511291.tif 000009
【図８】
2007511291.tif 000010
【図９】
2007511291.tif 000011
【図１０】
2007511291.tif 000012
【図１１】
2007511291.tif 000013
【図１２】
2007511291.tif 000014
【図１３】
2007511291.tif 000015
【図１４】
2007511291.tif 000016
【図１５】
2007511291.tif 000017
【図１６】
2007511291.tif 000018
【図１７】
2007511291.tif 000019
【図１８】
2007511291.tif 000020
【図１９】
2007511291.tif 000021
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
患者の心臓における不整脈を制御するためのシステムであって、以下：
心臓送達システム；および
該心臓送達システムに連結された伝達改変剤の供給源であって、該伝達改変剤が、神経節における神経伝達を改変するのに有効である、供給源、
を備え、ここで、該心臓送達システムが、該伝達改変剤を、供給源から、中の神経節に対して近位の少なくとも１つの心臓脂肪パッドに送達するための遠位部分を備える、システム。
【請求項２】
請求項１に記載のシステムであって、前記心臓送達システムの遠位部分が、前記伝達改変剤を前記脂肪パッドの表面を通して神経節の近位に注射するための先端を有する少なくとも１つの針を備える、システム。
【請求項３】
請求項２に記載のシステムであって、前記遠位部分が、直線状である、システム。
【請求項４】
請求項２に記載のシステムであって、前記遠位部分が、螺旋状である、システム。
【請求項５】
請求項１に記載のシステムであって、前記心臓送達システムが、心臓内送達システムを備える、システム。
【請求項６】
請求項１に記載のシステムであって、前記心臓送達システムが、心内膜システムを備える、システム。
【請求項７】
請求項１に記載のシステムであって、前記心臓送達システムが、心臓に付随する脈管の壁を通して前記脂肪パッド内に前記伝達改変剤を送達するための経脈管システムを備える、システム。
【請求項８】
請求項１に記載のシステムであって、前記伝達改変剤が、線維芽細胞を含む、システム。
【請求項９】
請求項１に記載のシステムであって、前記伝達改変剤が、バイオポリマーを含む、システム。
【請求項１０】
請求項９に記載のシステムであって、前記バイオポリマーが、フィブリン接着剤である、システム。
【請求項１１】
請求項９に記載のシステムであって、前記バイオポリマーが、アルギネートである、システム。
【請求項１２】
請求項１に記載のシステムであって、前記伝達改変剤が、神経毒を含む、システム。
【請求項１３】
請求項１２に記載のシステムであって、前記神経毒が、ボツリヌス菌Ａ型である、システム。
【請求項１４】
請求項１に記載のシステムであって、前記伝達改変剤が、増殖因子を含む、システム。
【請求項１５】
請求項１４に記載のシステムであって、前記増殖因子が、線維芽細胞増殖因子である、システム。
【請求項１６】
請求項１に記載のシステムであって、前記心臓送達システムが、以下：
少なくとも１つの針であって、該針が、前記脂肪パッドの表面を通って神経節の近位に伝達改変剤を注射するための遠位端、および近位端を有する、針；ならびに
該針を前記供給源に連結するための、該針の近位端に配置された、カプラー、
を備える、システム。
【請求項１７】
請求項１に記載のシステムであって、前記心臓送達システムが、カテーテルを備え、該カテーテルが、以下：
近位端および遠位端を有する、細長本体；
該細長本体の遠位端と該細長本体の近位端との間で、該細長本体を通って延びる、少なくとも１つの管腔；
少なくとも１つの針であって、該針が、該細長本体の遠位端に配置され、そして前記脂肪パッドの表面を通って神経節の近位に伝達改変剤を注入するための先端を有し、該針が、該管腔と流体連絡している、針；ならびに
該管腔を前記供給源に連結するための、該細長本体の近位端に配置された、カプラー、を備える、システム。
【請求項１８】
請求項１７に記載のシステムであって、さらに以下：
前記細長本体の遠位端に配置された、マッピング電極；および
該細長本体の遠位端と該細長本体の近位端との間に、該細長本体を通って延びる、導体、
を備える、システム。
【請求項１９】
請求項１に記載のシステムであって、アンカーをさらに備え、該アンカーが、前記心臓送達システムの遠位端を前記脂肪パッド上の位置に固定するために、該心臓送達システムの遠位部分に配置され、その結果、アンカーが固定されている間、伝達改変剤が、該位置の近位の組織の領域に送達され得る、システム。
【請求項２０】
患者の心臓における不整脈を制御するためのシステムであって、以下：
心臓送達システム；および
該心臓送達システムに連結された伝達改変剤の供給源であって、該伝達改変剤が、神経節における神経伝達を改変するのに有効であり、かつ複数の成分を含む、供給源、
を備え、
ここで、該供給源が、複数の別々のセクションを備え、該成分が、それぞれ、別々に該供給源のセクション内に含まれ、そして
ここで、該心臓送達システムが、以下：
遠位部分であって、該遠位部分の先端に伝達改変剤の成分を送達するための複数のチャネルを備える、遠位部分；および
複数の別々の送達チャネルであって、該心臓送達システムの遠位チャネルが、それぞれ該送達チャネルを通って、該供給源セクションとそれぞれ流体連絡している、チャネル、を備える、システム。
【請求項２１】
請求項２０に記載のシステムであって、前記成分が、バイオポリマー前駆体を含む、システム。
【請求項２２】
請求項２１に記載のシステムであって、前記成分が、線維芽細胞、神経毒、増殖因子、またはそれらの組み合わせをさらに含む、システム。
【請求項２３】
注射針であって、以下：
遠位部分であって、その先端に延びる複数のチャネルを備える、遠位部分；および
複数の別々の送達チャネルであって、心臓送達システムの遠位チャネルが、該送達チャネルと流体連絡している、送達チャネル、
を備える、注射針。
【請求項２４】
請求項２３に記載の注射針であって、前記遠位部分が、直線状である、注射針。
【請求項２５】
請求項２３に記載の注射針であって、前記遠位部分が、螺旋状である、注射針。
【請求項２６】
請求項２３に記載の注射針であって、さらに以下：
近位部分であって、前記送達チャネルが、該近位部分へと延びている、近位部分；および
前記送達チャネルをカテーテルに連結するための、カプラー、
を備える、注射針。
【請求項２７】
請求項２３に記載の注射針であって、さらに以下：
近位部分であって、前記送達チャネルが、該近位部分へと延びている、近位部分；および
該送達チャネルをそれぞれのシリンジに連結するためのカプラー、
を備える、注射針。
【請求項２８】
患者の心臓における不整脈を制御するためのキットであって、以下：
神経節における神経伝達を改変するのに有効な伝達改変剤の供給源；および
治療有効量の該伝達改変剤を、該供給源から、中の神経節に対して近位の少なくとも１つの心臓脂肪パッドに送達するための手段、
を備える、キット。
【請求項２９】
請求項２８に記載のキットであって、前記送達するための手段が、心臓内システムを備える、キット。
【請求項３０】
請求項２８に記載のキットであって、前記送達するための手段が、心内膜システムを備える、キット。
【請求項３１】
請求項２８に記載のキットであって、前記送達するための手段が、経脈管システムを備える、キット。
【請求項３２】
請求項２８に記載のキットであって、前記伝達改変剤が、線維芽細胞を含む、キット。
【請求項３３】
請求項３２に記載のキットであって、前記線維芽細胞が、自家由来である、キット。
【請求項３４】
請求項２８に記載のキットであって、前記伝達改変剤が、神経毒を含む、キット。
【請求項３５】
請求項３４に記載のキットであって、前記神経毒が、ボツリヌス菌Ａ型である、キット。
【請求項３６】
請求項２８に記載のキットであって、前記伝達改変剤が、増殖因子を含む、キット。
【請求項３７】
請求項３６に記載のキットであって、前記増殖因子が、線維芽細胞増殖因子である、キット。
【請求項３８】
請求項２８に記載のキットであって、前記伝達改変剤が、バイオポリマーを含む、キット。
【請求項３９】
請求項３８に記載のキットであって、前記バイオポリマーが、フィブリン接着剤である、キット。
【請求項４０】
請求項３８に記載のキットであって、前記バイオポリマーが、アルギネートである、キット。
【請求項４１】
請求項３８に記載のキットであって、前記バイオポリマーが、フィブリン、コラーゲン、アルギネート、これらの前駆体および／または誘導体、ならびにこれらの２つ以上の組み合わせからなる群より選択される、キット。
【請求項４２】
請求項３８に記載のキットであって、前記バイオポリマーが、線維芽細胞を補充する特徴を有する、キット。
【請求項４３】
請求項３８に記載のキットであって、前記バイオポリマーが、神経節への適用の前に、複数の前駆体から形成されている、キット。
【請求項４４】
請求項３８に記載のキットであって、前記バイオポリマーが、神経節への適用の際に、複数の前駆体から形成される、キット。
【請求項４５】
請求項２８に記載のキットであって、前記伝達改変剤が、複数の伝達改変成分を含む、キット。
【請求項４６】
請求項４５に記載のキットであって、前記伝達改変成分が、線維芽細胞成分、神経毒成分、バイオポリマー成分、および増殖因子成分から選択される２つ以上の成分の組み合わせを含む、キット。
【請求項４７】
請求項２８に記載のキットであって、前記送達するための手段が、前記治療有効量の伝達改変剤を一回の注射で送達するための手段を備える、キット。
【請求項４８】
請求項２８に記載のキットであって、前記送達するための手段が、前記治療有効量の伝達改変剤を複数回の注射で送達するための手段を備える、キット。
【請求項４９】
請求項２８に記載のキットであって、ここで：
前記伝達改変剤が線維芽細胞を含み、そして
前記送達するための手段が、注射において、約１００万〜約１０億個の線維芽細胞を送達するための手段を備える、
キット。
【請求項５０】
請求項２８に記載のキットであって、ここで：
前記伝達改変剤が、バイオポリマーを含み、そして
前記送達するための手段が、注射において、約０．１ｍｌ〜約５ｍｌのバイオポリマーを送達するための手段を備える、
キット。
【請求項５１】
請求項２８に記載のキットであって、ここで：
前記伝達改変剤が、バイオポリマーを含み、そして
前記送達するための手段が、注射において、約０．５ｍｌ〜約２ｍｌのバイオポリマーを送達するための手段を備える、
キット。
【請求項５２】
請求項２８に記載のキットであって、ここで：
前記伝達改変剤が、複数の成分伝達改変材料を含み、そして
前記送達するための手段が、別々の注射において、該伝達改変成分材料のそれぞれを送達するための手段を備える、
キット。
【請求項５３】
請求項５２に記載のキットであって、ここで、前記伝達改変成分材料のそれぞれが、線維芽細胞、神経毒、増殖因子、バイオポリマー、またはこれらの任意の組み合わせを含む、キット。
【請求項５４】
請求項２８に記載のキットであって、前記脂肪パッドにおける神経節を検出するために、前記心臓の電気活性をマッピングするための手段をさらに備える、キット。
【請求項５５】
請求項２８に記載のキットであって、さらに以下：
心臓送達システムであって、該心臓送達システムの遠位端が前記脂肪バット上の位置に固定され得るように構成されている、心臓送達システム；および
前記伝達改変剤を、アンカーが固定されている間、該位置の近位の組織の領域に送達するための手段、
を備える、キット。
【国際調査報告】
2007511291.tif 000022